(57)【要約】【課題】宇宙の形はどのようであるか。宇宙は楕円球であるのか。球体であるのか。【解決手段】宇宙の中心にはブラックホールがあり、中心部は密度が高い。10−16m時代はA=106の空間であり、超過密の空間であるので、球体のままである。過去にさかのぼるほど過密な状態であり、磁気の光子のエネルギーは大きいので、引力は大きく、球体のままである。泡宇宙はシャボン玉のような形をしている。球体である。それで、泡宇宙の回転数と宇宙の軌道半径の回転数を比較する。宇宙を観察するとき、宇宙の外側から宇宙の形を観察できない。また、ビッグバンに近い部分は観察できない。観察できる範囲は限定される。観察できる範囲から、宇宙の姿を推察する。観察できる範囲を合成すると、宇宙の姿は楕円球になる。しかし、宇宙の外から観察すると宇宙は球体である。【選択図】図１
2014207797.tif 000002
【特許請求の範囲】
【請求項１】
宇宙は球形であると考える理由。
中心に近い軌道ほど高速で回転する。それで、10−14m時代、中心から107光年の軌道の銀河は約5.2回螺旋回転し、3×107光年の軌道の銀河は約1回螺旋回転し、5×107光年の軌道の銀河は約0.46回螺旋回転した。これだけの回転では円盤状の形にはならないように思える。
また、10―16m時代は、ブラックホールの時代であり、宇宙の密度は超過密であり、球形は変形できない。
それならば、10−17m時代、10−18m時代、10−19m時代、10−20m時代は更に超過密の時代であり、球形は変形できない。
【請求項２】
特願2013−023929、「宇宙の形と宇宙の直径と宇宙の質量と宇宙の運動と泡宇宙」の「請求項11」で、次のように考えました。  
6.194×1010太陽質量のブラックホールが作る泡宇宙の半径は108光年です。宇宙に、この泡宇宙だけが存在すると仮定すると、宇宙には何個の泡宇宙が存在するか。宇宙全体のブラックホールの質量はいくらか。宇宙全体の質量はいくらか。これらの事ついて考えた。この考えについて再考する。
特願2013−027190、「宇宙の形」の「請求項5」で、次のように考えました。
泡構造の直径は、宇宙が拡大するとその拡大に応じて拡大する。
それで、泡構造の直径が大きいものほど外側の軌道に存在する。
私はボイドの直径＝泡構造の直径と考えました。それで、2×108光年の泡構造が最も外側の軌道に存在するとします。
直径2×108光年の泡構造の中心の巨大ブラックホールは、宇宙の外側の軌道、半径5.669×109光年の軌道に存在する。これを約5×109光年の軌道とする。
直径108光年の泡構造の中心の巨大ブラックホールは、半径2.5×109光年の軌道に存在する。
直径5×107光年の泡構造の中心の巨大ブラックホールは、半径1.25×109光年の軌道に存在する。
それで、2×108光年の泡宇宙は次のように拡大した。
表17
2014207797.tif 000019
これを図に示す。図は宇宙の軌道を示す。宇宙の断面図です。
これを図1に示した。
この事により、宇宙に存在する泡構造は、全て、現在直径2×108光年の泡構造であると考えた。この事は合理的な考えです。「請求項11」の考えは合理的です。
それで、特願2013−023929、「宇宙の形と宇宙の直径と宇宙の質量と宇宙の運動と泡宇宙」の図に示したことは正しい。
表18
宇宙の様子
2014207797.tif 000020
【請求項３】
特願2013−023929、「宇宙の形と宇宙の直径と宇宙の質量と宇宙の運動と泡宇宙」の「請求項11」で、宇宙全体の質量は5.589×1021太陽質量です、と記した。この事について再考する。「請求項16」について再考する。
宇宙全体の質量は5.589×1021太陽質量です。
そして、「請求項16」に次のように記した。
この質量は、私は、2009年9月19日に提出した、特願2009−218192、において、ビッグバンの以前の電子のラブのエネルギーがaJの場合、宇宙の原子数は1.0765×1079×a6個である。ビッグバンの以前の電子のラブのエネルギーが1Jである場合、宇宙の原子数は1.077×1079個＝8.975×1021太陽質量である、と記した質量とほぼ等しい。
表19
2014207797.tif 000021
この事によって、次の事が理解できる。
1つは、宇宙の直径は約2×5.669×109光年＝1.134×1010光年です。
2つは、宇宙の端の軌道速度は3×102Kmです。
3つは、各々の泡宇宙の中心に存在するブラックホールの質量は正しい。
4つは、宇宙は球体であり、そこに存在する泡宇宙の数は正しい。
5つは、ブラックホールの質量から全体の質量を求める式は正しい。
6つは、ビッグバンの以前、電子のラブのエネルギーが１Jであると理解したことは正しい。
よって、これらの事は合理的です。
【請求項４】
泡宇宙の直径は平均2×108光年であると考える。この泡宇宙の中心のブラックホールの質量は6.194×1010太陽質量です。この泡宇宙の速度を求める。
・軌道エネルギーを求める。
・中心のブラックホールの質量は6.194×1010太陽質量＝1010.7920太陽質量。
軌道エネルギー＝5.438×1018＋2n/3JKm÷距離＝5.438×1018＋2×10.7920÷3 JKm÷距離＝5.438×1018＋7.1947 JKm÷距離＝5.438×1025.1947 JKm÷距離＝5.438×1025×1.566 JKm÷距離＝8.054×1025JKm÷距離。
軌道エネルギー＝8.054×1025JKm÷距離。
表1より、
・10―16m時代、1.25×107光年の軌道半径には、直径5×105光年の泡宇宙が存在した。
軌道エネルギー＝速度2＝8.054×1025JKm÷(2.5×105×9.46×1012Km)＝6.811×107J
速度＝(6.811×107)1/2=8.253×103Km
・10―16m時代、2.5×107光年の軌道半径には、直径106光年の泡宇宙が存在した。
軌道エネルギー＝速度2＝8.054×1025JKm÷(5×105×9.46×1012Km)＝1.703×107J
速度＝(1.703×107)1/2＝4.127×103Km
・10―16m時代、5×107光年の軌道半径には、直径2×106光年の泡宇宙が存在した。
軌道エネルギー＝速度2＝8.054×1025JKm÷(10６×9.46×1012Km)＝8.514×106J
速度＝(8.514×106)1/2＝2.918×103Km
・10―15m時代、1.25×108光年の軌道半径には、直径5×106光年の泡宇宙が存在した。
軌道エネルギー＝速度2＝8.054×1025JKm÷(2.5×10６×9.46×1012Km)＝3.405×106J
速度＝(3.405×106)1/2＝1.845×103Km
・10―15m時代、2.5×108光年の軌道半径には、直径107光年の泡宇宙が存在した。
軌道エネルギー＝速度2＝8.054×1025JKm÷(5×106×9.46×1012Km)＝1.703×106J
速度＝(1.703×106)1/2＝1.305×103Km
・10―15m時代、5×108光年の軌道半径には、直径2×107光年の泡宇宙が存在した。
軌道エネルギー＝速度2＝8.054×1025JKm÷(107×9.46×1012Km)＝8.514×105J
速度＝(8.514×105)1/2＝9.227×102Km
・10―14m時代、1.25×109光年の軌道半径には、直径5×107光年の泡宇宙が存在した。
軌道エネルギー＝速度2＝8.054×1025JKm÷(2.5×107×9.46×1012Km)＝3.405×105J
速度＝(3.405×105)1/2＝5.835×102Km
・10―14m時代、2.5×109光年の軌道半径には、直径108光年の泡宇宙が存在した。
軌道エネルギー＝速度2＝8.054×1025JKm÷(5×107×9.46×1012Km)＝1.703×105J
速度＝(1.703×105)1/2＝4.127×102Km
・10―14m時代、5×109光年の軌道半径には、直径2×108光年の泡宇宙が存在した。
軌道エネルギー＝速度2＝8.054×1025JKm÷(108×9.46×1012Km)＝8.514×104J
速度＝(8.514×104)1/2＝2.918×102Km
この事をまとめて表に示す。
表20
宇宙の軌道半径における、中心が6.194×1010太陽質量の泡宇宙の直径と速度
2014207797.tif 000022
【請求項５】
実際、泡宇宙の大きさは異なる。それで、直径108光年の泡宇宙、直径7.5×107光年の泡宇宙、直径5×107光年の泡宇宙について回転速度を求める。
・宇宙の軌道半径に存在するそれぞれの泡宇宙の直径を表に示す。
中心のブラックホールの質量については、特願2013−023929の「請求項8」に記した。
表21
宇宙の軌道半径に存在するそれぞれの泡宇宙の直径
2014207797.tif 000023
a. 中心のブラックホールが2.186×1010太陽質量の泡宇宙の速度を求める。
・軌道エネルギーを求める。
中心のブラックホールは、2.186×1010太陽質量＝1010.3397太陽質量、です。
速度2＝軌道エネルギー＝5.438×1018＋2ｎ÷3JKm÷距離＝5.438×1018＋2×10.3397÷3 JKm÷距離＝5.438×1018＋6.8931 JKm÷距離＝5.438×1024×7.818＝4.251×1025JKm÷距離
軌道エネルギー＝4.251×1025JKm÷距離
・10−16m時代、1.25×107光年の軌道半径には、直径2.5×105光年の泡宇宙が存在した。
4.251×1025JKm÷(1.25×105×9.46×1012Km)＝3.595×107J
速度＝(3.595×107)1/2=5.996
×103Km
・10−16m時代、2.5×107光年の軌道半径には、直径5×105光年の泡宇宙が存在した。
4.251×1025JKm÷(2.5×105×9.46×1012Km)＝1.797×107J
速度＝(1.797×107)1/2=4.239×103Km
・10−16m時代、5×107光年の軌道半径には、直径106光年の泡宇宙が存在した。
4.251×1025JKm÷(5×105×9.46×1012Km)＝8.987×106J
速度＝(8.987×106)1/2=2.998
×103Km
・10−15m時代、1.25×108光年の軌道半径には、直径2.5×106光年の泡宇宙が存在した。
4.251×1025JKm÷(1.25×106×9.46×1012Km)＝3.595×106J
速度＝(3.595×106)1/2=1.896×103Km
・10−15m時代、2.5×108光年の軌道半径には、直径5×106光年の泡宇宙が存在した。
4.251×1025JKm÷(2.5×106×9.46×1012Km)＝1.797×106
速度＝(1.797×106)1/2=1.341×103Km
・10−15m時代、5×108光年の軌道半径には、直径107光年の泡宇宙が存在した。
4.251×1025JKm÷(5×106×9.46×1012Km)＝8.988×105
速度＝(8.988×105)1/2=9.481×102Km
・10−14m時代、1.25×109光年の軌道半径には、直径2.5×107光年の泡宇宙が存在した。
4.251×1025JKm÷(1.25×107×9.46×1012Km)＝3.595×105
速度＝(3.595×105)1/2=5.996×102Km 
・10−14m時代、2.5×109光年の軌道半径には、直径5×107光年の泡宇宙が存在した。
4.251×1025JKm÷(2.5×107×9.46×1012Km)＝1.797×105
速度＝(1.797×105)1/2=4.239×102Km
・10−14m時代、5×109光年の軌道半径には、直径108光年の泡宇宙が存在した。
4.251×1025JKm÷(5×107×9.46×1012Km)＝8.987×104
速度＝(8.987×104)1/2=2.998×102Km
b.  中心のブラックホールが1.422×1010太陽質量の泡宇宙の速度を求める。
・軌道エネルギーを求める。
中心のブラックホールは、1.422×1010太陽質量＝1010.1529太陽質量
速度2＝軌道エネルギー＝5.438×1018＋2ｎ÷3JKm÷距離＝5.438×1018＋2×10.1529÷3 JKm÷距離＝5.438×1018＋6.7686 JKm÷距離＝5.438×1024×5.870 JKm÷距離＝3.192×1025JKm÷距離
軌道エネルギー＝3.192×1025JKm÷距離
・10−16m時代、1.25×107光年の軌道半径には、直径1.875×105光年の泡宇宙が存在した。
3.192×1025JKm÷(9.375×104×9.46×1012Km)＝3.599×107J
速度＝(3.599×107)1/2=5.999×103Km
・10−16m時代、2.5×107光年の軌道半径には、直径3.75×105光年の泡宇宙が存在した。
3.192×1025JKm÷(1.875×105×9.46×1012Km)＝1.800×107J
速度＝(1.800×107)1/2=4.243×103Km
・10−16m時代、5×107光年の軌道半径には、直径7.5×105光年の泡宇宙が存在した。
3.192×1025JKm÷(3.75×105×9.46×1012Km)＝8.998×106J
速度＝(8.998×106)1/2=3.000×103Km
・10−15m時代、1.25×108光年の軌道半径には、直径1.875×106光年の泡宇宙が存在した。
3.192×1025JKm÷(9.375×105×9.46×1012Km)＝3.599×106J
速度＝(3.599×106)1/2=1.897×103Km
・10−15m時代、2.5×108光年の軌道半径には、直径3.75×106光年の泡宇宙が存在した。
3.192×1025JKm÷(1.875×106×9.46×1012Km)＝1.800×106J
速度＝(1.800×106)1/2=1.342×103Km
・10−15m時代、5×108光年の軌道半径には、直径7.5×106光年の泡宇宙が存在した。
3.192×1025JKm÷(3.75×106×9.46×1012Km)＝8.998×105J
速度＝(8.998×105)1/2=9.486×102Km
・10−14m時代、1.25×109光年の軌道半径には、直径1.875×107光年の泡宇宙が存在した。
3.192×1025JKm÷(9.375×106×9.46×1012Km)＝3.599×105J
速度＝(3.599×105)1/2=5.999×102Km
・10−14m時代、2.5×109光年の軌道半径には、直径3.75×107光年の泡宇宙が存在した。
3.192×1025JKm÷(1.875×107×9.46×1012Km)＝1.800×105J
速度＝(1.800×105)1/2=4.243×102Km
・10−14m時代、5×109光年の軌道半径には、直径7.5×107光年の泡宇宙が存在した。
3.192×1025JKm÷(3.75×107×9.46×1012Km)＝8.998×104J
速度＝(8.998×104)1/2=3.000×102Km
c.   中心のブラックホールが9.490×109太陽質量の泡宇宙の速度を求める。
・軌道エネルギーを求める。
中心のブラックホールは、9.490×109太陽質量＝109.9773太陽質量
速度2＝軌道エネルギー＝5.438×1018＋2ｎ÷3JKm÷距離＝5.438×1018＋2×9.9773÷3JKm÷距離＝5.438×1018＋6.6515 JKm÷距離＝5.438×1024.6515 JKm÷距離＝5.438×1024×4.482 JKm÷距離＝2.437×1025JKm÷距離
軌道エネルギー＝2.437×1025JKm÷距離
・10−16m時代、1.25×107光年の軌道半径には、直径1.25×105光年の泡宇宙が存在した。
2.437×1025JKm÷(6.25×104×9.46×1012Km)＝4.122 ×107J
速度＝(4.122×107)1/2=6.420×103Km
・10−16m時代、2.5×107光年の軌道半径には、直径2.5×105光年の泡宇宙が存在した。
2.437×1025JKm÷(1.25×105×9.46×1012Km)＝2.061×107J
速度＝(2.061×107)1/2=4.540
×103Km
・10−16m時代、5×107光年の軌道半径には、直径5×105光年の泡宇宙が存在した。
2.437×1025JKm÷(2.5×105×9.46×1012Km)＝1.030×107J
速度＝(1.030×107)1/2=3.209×103Km
・10−15m時代、1.25×108光年の軌道半径には、直径1.25×106光年の泡宇宙が存在した。
2.437×1025JKm÷(6.25×105×9.46×1012Km)＝4.122×106J
速度＝(4.122×106)1/2=2.030×103Km
・10−15m時代、2.5×108光年の軌道半径には、直径2.5×106光年の泡宇宙が存在した。
2.437×1025JKm÷(1.25×106×9.46×1012Km)＝2.061×106J
速度＝(2.061×106)1/2=1.436×103Km
・10−15m時代、5×108光年の軌道半径には、直径5×106光年の泡宇宙が存在した。
2.437×1025JKm÷(2.5×106×9.46×1012Km)＝1.030×106J
速度＝(1.030×106)1/2=1.015×103Km
・10−14m時代、1.25×109光年の軌道半径には、直径1.25×107光年の泡宇宙が存在した。
2.437×1025JKm÷(6.25×106×9.46×1012Km)＝4.122×105J
速度＝(4.122×105)1/2=6.420×102Km
・10−14m時代、2.5×109光年の軌道半径には、直径2.5×107光年の泡宇宙が存在した。
2.437×1025JKm÷(1.25×107×9.46×1012Km)＝2.061×105J
速度＝(2.061×105)1/2=4.540×102Km
・10−14m時代、5×109光年の軌道半径には、直径5×107光年の泡宇宙が存在した。
2.437×1025JKm÷(2.5×107×9.46×1012Km)＝1.030×105J
速度＝(1.030×105)1/2=3.209×102Km
これらの事をまとめて表に示す。
表22
2014207797.tif 000024
表23
宇宙の軌道半径における、中心のブラックホールが2.186×1010太陽質量の泡宇宙の直径と速度
2014207797.tif 000025
表24
宇宙の軌道半径における、中心のブラックホールが1.422×1010太陽質量の泡宇宙の直径と速度
2014207797.tif 000026
表25
宇宙の軌道半径と中心のブラックホールが9.490×109太陽質量の泡宇宙の直径と速度
2014207797.tif 000027
【請求項６】
実際、泡宇宙はどのように回転しているか。
実際、泡宇宙は上記に記したたくさんの大きさの泡宇宙が混じり合って回転している。
泡宇宙は、泡宇宙の軌道を泡宇宙の速度で回転している。それで、泡宇宙に存在する銀河は衝突することは少ない。
泡宇宙は中心のブラックホールが存在する宇宙の軌道半径の速度で宇宙を回転している。
同じ宇宙の軌道半径において、各々の泡宇宙の中心のブラックホールは同じ速度で回転しているので、泡宇宙と泡宇宙は衝突することは少ない。
【請求項７】
宇宙の軌道半径は何回転したか。
宇宙の軌道半径の年齢を表に示す。
表26
宇宙の軌道半径の年齢
2014207797.tif 000028
・宇宙の軌道半径が回転した回転数を求める。
回転数＝秒速×回転した時間の秒数÷1回転の距離
・1.25×10７光年の軌道半径の秒速は6.389×103Kmです。これは3.3×107歳の宇宙です。
回転数＝6.389×103Km×3.3×107歳×365×24×60×60秒÷(2π×1.25×10７×9.46×1012Km)＝6.389×103Km×3.3×107歳×3.1536×107秒÷(2π×1.25×10７×9.46×1012Km)＝8.953×10−3回転
・2.5×10７光年の軌道半径の秒速は4.518×103Kmです。これは6.6×107歳の宇宙です。
回転数＝4.518×103Km×6.6×107歳×3.1536×107秒÷(2π×2.5×10７×9.46×1012Km)＝6.311×10−3回転
・5×10７光年の軌道半径の秒速は3.195×103Kmです。これは108歳の宇宙です。
回転数＝3.195×103Km×108歳×3.1536×107秒÷(2π×5×10７×9.46×1012Km)＝3.392×10−3回転
・1.25×108光年の軌道半径の秒速は2.020×103Kmです。これは3.3×108歳の宇宙です。
回転数＝2.020×103Km×3.3×108歳×3.1536×107秒÷(2π×1.25×108×9.46×1012Km)＝2.831×10−3回転
・2.5×108光年の軌道半径の秒速は1.429×103Kmです。これは6.6×108歳の宇宙です。
回転数＝1.429×103Km×6.6×108歳×3.1536×107秒÷(2π×2.5×108×9.46×1012Km)＝2.003×10−3回転
・5×108光年の軌道半径の秒速は1.010×103Kmです。これは109歳の宇宙です。
回転数＝1.010×103Km×109歳×3.1536×107秒÷(2π×5×108×9.46×1012Km)＝1.072×10−3回転
・1.25×109光年の軌道半径の秒速は6.389×102Kmです。これは3.3×109歳の宇宙です。
回転数＝6.389×102Km×3.3×109歳×3.1536×107秒÷(2π×1.25×109×9.46×1012Km)＝8.953×10−4回転
・2.5×109光年の軌道半径の秒速は4.518×102Kmです。これは6.6×109歳の宇宙です。
回転数＝4.518×102Km×6.6×109歳×3.1536×107秒÷(2π×2.5×109×9.46×1012Km)＝6.334×10−4回転
・5×109光年の軌道半径の秒速は3.195×102Kmです。これは1.32×1010歳の宇宙です。
回転数＝3.195×102Km×1.32×1010歳×3.1536×107秒÷(2π×5×109×9.46×1012Km)＝4.477×10−４回転
表に示す．
表27
宇宙の軌道半径が回転した回転数
2014207797.tif 000029
【請求項８】
泡宇宙は何回転したか。
中心が6.194×1010太陽質量の泡宇宙の回転数を求める。
・中心が6.194×1010太陽質量の泡宇宙の直径が5×105光年の泡宇宙の速度は8.253×103Kmです。これは3.3×107歳の宇宙です。
回転数＝8.253×103Km×3.3×107歳×3.1536×107秒÷(π×5×105×9.46×1012Km)＝5.783×10−1回転
・中心が6.194×1010太陽質量の泡宇宙の直径が106光年の泡宇宙の速度は4.127×103Kmです。これは6.6×107歳の宇宙です。
回転数＝4.127×103Km×6.6×107歳×3.1536×107秒÷(π×106×9.46×1012Km)＝2.892×10−1回転
・中心が6.194×1010太陽質量の泡宇宙の直径が2×106光年の泡宇宙の速度は2.918×103Kmです。これは108歳の宇宙です。
回転数＝2.918×103Km×108歳×3.1536×107秒÷(π×2×106×9.46×1012Km)＝1.549×10−1回転
・中心が6.194×1010太陽質量の泡宇宙の直径が5×106光年の泡宇宙の速度は1.845×103Kmです。これは3.3×108歳の宇宙です。
回転数＝1.845×103Km×3.3×108歳×3.1536×107秒÷(π×5×106×9.46×1012Km)＝1.293×10−1回転
・中心が6.194×1010太陽質量の泡宇宙の直径が107光年の泡宇宙の速度は1.305×103Kmです。これは6.6×108歳の宇宙です。
回転数＝1.305×103Km×6.6×108歳×3.1536×107秒÷(π×107×9.46×1012Km)＝9.144×10−2回転
・中心が6.194×1010太陽質量の泡宇宙の直径が2×107光年の泡宇宙の速度は9.227×102Kmです。これは109歳の宇宙です。
回転数＝9.227×102Km×109歳×3.1536×107秒÷(π×2×107×9.46×1012Km)＝4.898×10−2回転
・中心が6.194×1010太陽質量の泡宇宙の直径が5×107光年の泡宇宙の速度は5.835×102Kmです。これは3.3×109歳の宇宙です。
回転数＝5.835×102Km×3.3×109歳×3.1536×107秒÷(π×5×107×9.46×1012Km)＝4.089×10−2回転
・中心が6.194×1010太陽質量の泡宇宙の直径が108光年の泡宇宙の速度は4.127×102Kmです。これは6.6×109歳の宇宙です。
回転数＝4.127×102Km×6.6×109歳×3.1536×107秒÷(π×10８×9.46×1012Km)＝2.892×10−2回転
・中心が6.194×1010太陽質量の泡宇宙の直径が2×108光年の泡宇宙の速度は2.918×102Kmです。これは1.32×1010歳の宇宙です。
回転数＝2.918×102Km×1.32×1010歳×3.1536×107秒÷(π×2×108×9.46×1012Km)＝2.045×10−2回転
a. 中心のブラックホールが2.186×1010太陽質量の泡宇宙の回転数を求める。
・中心が2.186×1010太陽質量の泡宇宙の直径が2.5×105光年の泡宇宙の速度は5.996×103Kmです。これは3.3×107歳の宇宙です。
回転数＝5.996×103Km×3.3×107歳×3.1536×107秒÷(π×2.5×105×9.46×1012Km)＝8.403×10−1回転
・中心が2.186×1010太陽質量の泡宇宙の直径が5×105光年の泡宇宙の速度は4.239×103Kmです。これは6.6×107歳の宇宙です。
回転数＝4.239×103Km×6.6×107歳×3.1536×107秒÷(π×5×105×9.46×1012Km)＝5.940×10−1回転
・中心が2.186×1010太陽質量の泡宇宙の直径が106光年の泡宇宙の速度は2.998×103Kmです。これは108歳の宇宙です。
回転数＝2.998×103Km×108歳×3.1536×107秒÷(π×106×9.46×1012Km)＝3.183×10−1回転
・中心が2.186×1010太陽質量の泡宇宙の直径が2.5×106光年の泡宇宙の速度は1.896×103Kmです。これは3.3×108歳の宇宙です。
回転数＝1.896×103Km×3.3×108歳×3.1536×107秒÷(π×2.5×106×9.46×1012)＝2.657×10−1回転
・中心が2.186×1010太陽質量の泡宇宙の直径が5×106光年の泡宇宙の速度は1.341×103Kmです。これは6.6×108歳の宇宙です。
回転数＝1.341×103Km×6.6×108歳×3.1536×107秒÷(π×5×106×9.46×1012Km)＝1.879×10−1回転
・中心が2.186×1010太陽質量の泡宇宙の直径が107光年の泡宇宙の速度は9.481×102Kmです。これは109歳の宇宙です。
回転数＝9.481×102Km×109歳×3.1536×107秒÷(π×107×9.46×1012Km)＝1.007×10−1回転
・中心が2.186×1010太陽質量の泡宇宙の直径が2.5×107光年の泡宇宙の速度は5.996×102Kmです。これは3.3×109歳の宇宙です。
回転数＝5.996×102Km×3.3×109歳×3.1536×107秒÷(π×2.5×107×9.46×1012)＝8.403 ×10−2回転
・中心が2.186×1010太陽質量の泡宇宙の直径が5×107光年の泡宇宙の速度は4.239×102Kmです。これは6.6×109歳の宇宙です。
回転数＝4.239×102Km×6.6×109歳×3.1536×107秒÷(π×5×107×9.46×1012Km)＝5.941×10−2回転
・中心が2.186×1010太陽質量の泡宇宙の直径が108光年の泡宇宙の速度は2.998×102Kmです。これは1.32×1010歳の宇宙です。
回転数＝2.998×102Km×1.32×1010歳×3.1536×107秒÷(π×108×9.46×1012Km)＝4.201×10−2回転
b. 中心のブラックホールが1.422×1010太陽質量の泡宇宙の回転数を求める。
・中心が1.422×1010太陽質量の泡宇宙の直径が1.875×105光年の泡宇宙の速度は5.999×103Kmです。これは3.3×107歳の宇宙です。
回転数＝5.999×103Km×3.3×107歳×3.1536×107秒÷(π×1.875×105×9.46×1012Km)＝1.121回転
・中心が1.422×1010太陽質量の泡宇宙の直径が3.75×105光年の泡宇宙の速度は4.243×103Kmです。これは6.6×107歳の宇宙です。
回転数＝4.243×103Km×6.6×107歳×3.1536×107秒÷(π×3.75×105×9.46×1012Km)＝7.928×10−1回転
・中心が1.422×1010太陽質量の泡宇宙の直径が7.5×105光年の泡宇宙の速度は3.000×103Kmです。これは108歳の宇宙です。
回転数＝3.000×103Km×108歳×3.1536×107秒÷(π×7.5×105×9.46×1012Km)＝4.247×10−1回転
・中心が1.422×1010太陽質量の泡宇宙の直径が1.875×106光年の泡宇宙の速度は1.897×103Kmです。これは3.3×108歳の宇宙です。
回転数＝1.897×103Km×3.3×108歳×3.1536×107秒÷(π×1.875×106×9.46×1012Km)＝3.544×10−1回転
・中心が1.422×1010太陽質量の泡宇宙の直径が3.75×106光年の泡宇宙の速度は1.342×103Kmです。これは6.6×108歳の宇宙です。
回転数＝1.342×103Km×6.6×108歳×3.1536×107秒÷(π×3.75×106×9.46×1012Km)＝2.508×10−1回転
・中心が1.422×1010太陽質量の泡宇宙の直径が7.5×106光年の泡宇宙の速度は9.486×102Kmです。これは109歳の宇宙です。
回転数＝9.486×102Km×109歳×3.1536×107秒÷(π×7.5×106×9.46×1012Km)＝1.343×10−1回転
・中心が1.422×1010太陽質量の泡宇宙の直径が1.875×107光年の泡宇宙の速度は5.999×102Kmです。これは3.3×109歳の宇宙です。
回転数＝5.999×102Km×3.3×109歳×3.1536×107秒÷(π×1.875×107×9.46×1012Km)＝1.121×10−1回転
・中心が1.422×1010太陽質量の泡宇宙の直径が3.75×107光年の泡宇宙の速度は4.243×102Kmです。これは6.6×10９歳の宇宙です。
回転数＝4.243×102Km×6.6×109歳×3.1536×107秒÷(π×3.75×107×9.46×1012Km)＝7.928×10−2回転
・中心が1.422×1010太陽質量の泡宇宙の直径が7.5×107光年の泡宇宙の速度は3.000×102Kmです。これは1.32×1010歳の宇宙です。
回転数＝3.000×102Km×1.32×1010歳×3.1536×107秒÷(π×7.5×107×9.46×1012Km)＝5.606×10−2回転
c. 中心のブラックホールが9.490×109太陽質量の泡宇宙の回転数を求める。
・中心が9.490×109太陽質量の泡宇宙の直径が1.25×105光年の泡宇宙の速度は6.420×103Kmです。これは3.3×107歳の宇宙です。
回転数＝6.420×103Km×3.3×107歳×3.1536×107秒÷(π×1.25×105×9.46×1012Km)＝1.799回転
・中心が9.490×109太陽質量の泡宇宙の直径が2.5×105光年の泡宇宙の速度は4.540×103Kmです。これは6.6×107歳の宇宙です。
回転数＝4.540×103Km×6.6×107歳×3.1536×107秒÷(π×2.5×105×9.46×1012Km)＝1.272回転
・中心が9.490×109太陽質量の泡宇宙の直径が5×105光年の泡宇宙の速度は3.209×103Kmです。これは108歳の宇宙です。
回転数＝3.209×103Km×108歳×3.1536×107秒÷(π×.5×105×9.46×1012Km)＝6.814×10−1回転
・中心が9.490×109太陽質量の泡宇宙の直径が1.25×106光年の泡宇宙の速度は2.030×103Kmです。これは3.3×108歳の宇宙です。
回転数＝2.030×103Km×3.3×108歳×3.1536×107秒÷(π×1.25×106×9.46×1012Km)＝5.690×10−1回転
・中心が9.490×109太陽質量の泡宇宙の直径が2.5×106光年の泡宇宙の速度は1.436×103Kmです。これは6.6×108歳の宇宙です。
回転数＝1.436×103Km×6.6×108歳×3.1536×107秒÷(π×2.5×106×9.46×1012Km)＝4.025×10−1回転
・中心が9.490×109太陽質量の泡宇宙の直径が5×106光年の泡宇宙の速度は1.015×103Kmです。これは109歳の宇宙です。
回転数＝1.015×103Km×109歳×3.1536×107秒÷(π×.5×106×9.46×1012Km)＝2.155×10−1回転
・中心が9.490×109太陽質量の泡宇宙の直径が1.25×107光年の泡宇宙の速度は6.420×102Kmです。これは3.3×109歳の宇宙です。
回転数＝6.420×102Km×3.3×109歳×3.1536×107秒÷(π×1.25×107×9.46×1012Km)＝1.799×10−1回転
・中心が9.490×109太陽質量の泡宇宙の直径が2.5×107光年の泡宇宙の速度は4.540×102Kmです。これは6.6×109歳の宇宙です。
回転数＝4.540×102Km×6.6×109歳×3.1536×107秒÷(π×2.5×107×9.46×1012Km)＝1.272×10−1回転
・中心が9.490×109太陽質量の泡宇宙の直径が5×107光年の泡宇宙の速度は3.209×102Kmです。これは1.32×1010歳の宇宙です。
回転数＝3.209×102Km×1.32×1010歳×3.1536×107秒÷(π×.5×107×9.46×1012Km)＝8.994×10−2回転
この事をまとめて表に示す。
表28
中心が6.194×1010太陽質量の泡宇宙の回転数
2014207797.tif 000030
表29
中心のブラックホールが2.186×1010太陽質量の泡宇宙の回転数
2014207797.tif 000031
表30
中心が1.422×1010太陽質量の泡宇宙の回転数
2014207797.tif 000032
表31
中心のブラックホールが9.490×109太陽質量の泡宇宙の回転数
2014207797.tif 000033
これの事から理解できる事。
1．宇宙の軌道半径の回転数は約10−4回転から10−3回転です。
2．泡宇宙の回転数は約10−2回転から10−1回転です。
3．泡宇宙の回転数は、宇宙の軌道半径の回転数の約100倍です。。
それなのに、泡宇宙の形は円形になっていない。シャボン玉のように球体です。
4．宇宙の軌道半径の回転数は泡宇宙の回転数の1/100です。それで、宇宙の形は扁平になっていない、球形になっている。
5．大き泡宇宙ほど回転数は少ない。
6．小さな泡宇宙ほど回転数は多い。
7．宇宙の場合も、宇宙の軌道半径が大きくなるほど回転数は少ない。
8．宇宙の場合も回転数が少ないので、球形です。
9．宇宙の場合は、10―16m時代は“ブラックホールの素子の時代”であり、超過密空間ですから、これ以前の宇宙の形は球形であり、回転数は考慮する必要はない
この事は、特願2013−028476「宇宙の形2」の「請求項2」に記したので、参考のためここに再度記す。
表32
2014207797.tif 000034
【請求項９】
どうして宇宙の形は平らな円形として観察されるか。
宇宙を観察するとき、宇宙の中の1点である地球から観察する。
宇宙の外からは観察できない。それで、宇宙全体の画像を捉えることはできない。
宇宙を観察するとき、宇宙の中の1点である地球から観察するとき、扇形に観察する。これは宇宙の1部を観察しているのであり、全体を観察しているのではない。
例えば、135億光年の遠くを観察しようとする。そこに宇宙の中心のブラックホールがある。
宇宙の中心から、5×103光年までは、光速以上の軌道半径であるから、この先は観測されない。
また、10―16m時代は、宇宙の中心から1.25×107光年〜5×107光年までの軌道半径である。ここは“ブラックホールの素子の時代”であり、密度が高く観察しづらい。この場は、銀河の中心に成るブラックホールができる時代である。泡宇宙はブラックホールの泡宇宙として観察される。1億年時代である。
また、10−15m時代は、宇宙の中心から1.25×108光年〜5×108光年までの軌道半径である。泡宇宙はクエーサーの泡宇宙が観察される。10億年時代である。
このように、宇宙の中心を観察するとき、宇宙の中心から約5×107光年までの軌道半径内は観察できない。
これらの事によって、観察できるのは、それ以降の宇宙です。
観察しているのは、宇宙の中心から約108光年以降の軌道半径です。
それも、地球が存在する方向の、宇宙の中心から約108光年以降の軌道半径です。
この事を宇宙の平面図で説明する。
【発明の詳細な説明】
【技術分野】
【０００１】
本発明は、宇宙の形に関するものである。
【背景技術】
【０００２】
私は、2013年2月11日、特願2013−023929、「宇宙の形と宇宙の直径と宇宙の質量と宇宙の運動と泡宇宙」を提出した。2013年2月15日に、特願２０13−027190、「宇宙の形」を提出した。2013年2月16日に、特願2013−028476、「宇宙の形2」を提出した。これらに記述したことが背景技術になる。
【先行技術文献】
【非特許文献】
【０００３】
【特許文献１】特願2013−023929
【特許文献２】特願2013−027190
【特許文献３】特願2013−028476
【発明の概要】
【発明が解決しようとする課題】
【０００４】
宇宙は宇宙の中心のブラックホールを中心に螺旋回転をしている。その宇宙の形は球形であると考えた。その理由は各時代に回転した回転数による。
これは、特願2013−028476の「請求項2」に示した。10−20m時代、104歳の宇宙の軌道半径は5×103光年で、わずかに、3.394×10−1回転しました。
それから、宇宙は球体で、螺旋回転をしている。はたして、宇宙の形はどのようであるか。太陽系は太陽を中心に円盤状に回転しています。銀河系は銀河の中心のブラックホールを中心に円盤状に回転しています。はたして、宇宙は宇宙の中心のブラックホールを中心に太い円盤状に成って回転しているのでしょうか。
宇宙は中心が圧縮した円盤状になっているのでしょうか。
【課題を解決するための手段】
【０００５】
1．中心に近い軌道ほど高速で回転する。それで、10−14m時代、中心から107光年の軌道の銀河は約5.2回螺旋回転し、3×107光年の軌道の銀河は約1回螺旋回転し、5×107光年の軌道の銀河は約0.46回螺旋回転した。これだけの回転では円盤状の形にはならないように思える。
2．10―16m時代は、“ブラックホール素子”の時代であり、宇宙の密度は超過密であり、球形は変形できない。
それならば、10−17m時代、10−18m時代、10−19m時代、10−20m時代は更に超過密の時代であり、球形は変形できない。
このように考えると、宇宙の形は球形であると考える。
3．ボイドの直径は平均5000万〜1億光年程です。この事は、遠くのボイドほど小さかった。過去のボイドほど小さかったとも考えられる。
即ち、特願2013−027190、「宇宙の形」の「請求項5」の表に示すように、泡構造の直径は時間の経過とともに、大きくなっている。
銀河系の近くに存在するボイドは直径2×108光年ですから、これと同じ大きさのボイドが遠くに存在すると、小さい状態になっていて、直径108光年〜5×107光年になっていると考える。
4．平均直径2×108光年の泡宇宙が存在すると考える。
5．特願2013−023929の「請求項11」と「請求項16」と図面を再考する。
6．宇宙には直径が約2×108光年の泡宇宙が存在するとして、中心のブラックホールが存在する軌道半径にしたがって、泡宇宙の直径、速度、回転数を求める。
7．宇宙には、たくさんの大きさの泡宇宙が存在するので、直径５×107光年、直径7.5×107光年、直径108光年の泡宇宙について、中心のブラックホールが存在する軌道半径にしたがって、泡宇宙の直径、速度、回転数を求める。
8．泡宇宙の回転数と宇宙の半径の回転数を比較し、宇宙の形を推察する。
泡宇宙はシャボン玉のような形をしている。それなら、宇宙は球形をしていると考えられる。
9．宇宙を観察をするとき、宇宙の外から宇宙の形を観察できない。
10．宇宙の観察をするとき、中心のブラックホールから10―16m時代の宇宙空間は観察し難い。観察できるのは10−15m時代と10−14mです。
それで、宇宙観察はどのようにされているのか。
11．扇形に観察される宇宙を合成すると、楕円球になる。
【発明の効果】
【０００６】
次の事が理解できた。
１．表3から、中心が6.194×1010太陽質量の泡宇宙の直径は拡大していることが理解できた。
2．それで、宇宙には、およそ中心が6.194×1010太陽質量の泡宇宙が存在していると考える事は合理的です。
3．特願2013−023929、「宇宙の形と宇宙の直径と宇宙の質量と宇宙の運動と泡宇宙」の「請求項11」と「請求項16」は正しい。
4．泡宇宙の回転数は約10−1回転から10−2回転です。
宇宙の軌道半径の回転数は、10−3回転から10−4回転です。
泡宇宙の形はシャボン玉のようです。それで、宇宙の形も球体であると推察できます。
5．宇宙の観察を合成すると楕円球になる。しかし、それは宇宙の1部である。全体ではない。
【図面の簡単な説明】
【０００７】
【図１】図１は観察される範囲を示す。宇宙の中心にブラックホールが存在する。宇宙の1点に地球が存在する。ここから宇宙を観察する。10―16m時代の空間は宇宙の中心から1.25×107光年〜5×107光年までの軌道半径であり、この部分は超過密空間であり、観察し難いがエネルギーは大きい。10―15m時代の空間は宇宙の中心から1.25×108光年〜5×108光年までの軌道半径であり、この部分はクエーサーの泡宇宙が観察される。10−14m時代の空間は宇宙の中心から1.25×109光年〜5×109光年までの軌道半径であり、この部分は銀河の泡宇宙が観察される。地球から観察している範囲は扇形の宇宙です。この扇形の宇宙を合成すると、扁平な球体になる。それで、宇宙は楕円球として観察される。
【発明を実施するための形態】
【０００８】
１．    宇宙は球形であると考える理由。
中心に近い軌道ほど高速で回転する。それで、10−14m時代、中心から107光年の軌道の銀河は約5.2回螺旋回転し、3×107光年の軌道の銀河は約1回螺旋回転し、5×107光年の軌道の銀河は約0.46回螺旋回転した。これだけの回転では円盤状の形にはならないように思える。
また、10―16m時代は、ブラックホールの時代であり、宇宙の密度は超過密であり、球形は変形できない。
それならば、10−17m時代、10−18m時代、10−19m時代、10−20m時代は更に超過密の時代であり、球形は変形できない。
２．    特願2013−023929、「宇宙の形と宇宙の直径と宇宙の質量と宇宙の運動と泡宇宙」の「請求項11」で、次のように考えました。  
6.194×1010太陽質量のブラックホールが作る泡宇宙の半径は108光年です。宇宙に、この泡宇宙だけが存在すると仮定すると、宇宙には何個の泡宇宙が存在するか。宇宙全体のブラックホールの質量はいくらか。宇宙全体の質量はいくらか。これらの事ついて考えた。この考えについて再考する。
特願2013−027190、「宇宙の形」の「請求項5」で、次のように考えました。
泡構造の直径は、宇宙が拡大するとその拡大に応じて拡大する。
それで、泡構造の直径が大きいものほど外側の軌道に存在する。
私はボイドの直径＝泡構造の直径と考えました。それで、2×108光年の泡構造が最も外側の軌道に存在するとします。
直径2×108光年の泡構造の中心の巨大ブラックホールは、宇宙の外側の軌道、半径5.669×109光年の軌道に存在する。これを約5×109光年の軌道とする。
直径108光年の泡構造の中心の巨大ブラックホールは、半径2.5×109光年の軌道に存在する。
直径5×107光年の泡構造の中心の巨大ブラックホールは、半径1.25×109光年の軌道に存在する。
それで、2×108光年の泡宇宙は次のように拡大した。
表1
2014207797.tif 000003
これを図に示す。図は宇宙の軌道を示す。宇宙の断面図です。
これを図1に示した。
この事により、宇宙に存在する泡構造は、全て、現在直径2×108光年の泡構造であると考えた。この事は合理的な考えです。「請求項11」の考えは合理的です。
それで、特願2013−023929、「宇宙の形と宇宙の直径と宇宙の質量と宇宙の運動と泡宇宙」の図に示したことは正しい。
表2
宇宙の様子
2014207797.tif 000004
３．    特願2013−023929、「宇宙の形と宇宙の直径と宇宙の質量と宇宙の運動と泡宇宙」の「請求項11」で、宇宙全体の質量は5.589×1021太陽質量です、と記した。この事について再考する。「請求項16」について再考する。
宇宙全体の質量は5.589×1021太陽質量です。
そして、「請求項16」に次のように記した。
この質量は、私は、2009年9月19日に提出した、特願2009−218192、において、ビッグバンの以前の電子のラブのエネルギーがaJの場合、宇宙の原子数は1.0765×1079×a6個である。ビッグバンの以前の電子のラブのエネルギーが1Jである場合、宇宙の原子数は1.077×1079個＝8.975×1021太陽質量である、と記した質量とほぼ等しい。
表3
2014207797.tif 000005
この事によって、次の事が理解できる。
1つは、宇宙の直径は約2×5.669×109光年＝1.134×1010光年です。
2つは、宇宙の端の軌道速度は3×102Kmです。
3つは、各々の泡宇宙の中心に存在するブラックホールの質量は正しい。
4つは、宇宙は球体であり、そこに存在する泡宇宙の数は正しい。
5つは、ブラックホールの質量から全体の質量を求める式は正しい。
6つは、ビッグバンの以前、電子のラブのエネルギーが１Jであると理解したことは正しい。
よって、これらの事は合理的です。
４．    泡宇宙の直径は平均2×108光年であると考える。この泡宇宙の中心のブラックホールの質量は6.194×1010太陽質量です。この泡宇宙の速度を求める。
・軌道エネルギーを求める。
・中心のブラックホールの質量は6.194×1010太陽質量＝1010.7920太陽質量。
軌道エネルギー＝5.438×1018＋2n/3JKm÷距離＝5.438×1018＋2×10.7920÷3 JKm÷距離＝5.438×1018＋7.1947 JKm÷距離＝5.438×1025.1947 JKm÷距離＝5.438×1025×1.566 JKm÷距離＝8.054×1025JKm÷距離。
軌道エネルギー＝8.054×1025JKm÷距離。
表1より、
・10―16m時代、1.25×107光年の軌道半径には、直径5×105光年の泡宇宙が存在した。
軌道エネルギー＝速度2＝8.054×1025JKm÷(2.5×105×9.46×1012Km)＝6.811×107J
速度＝(6.811×107)1/2=8.253×103Km
・10―16m時代、2.5×107光年の軌道半径には、直径106光年の泡宇宙が存在した。
軌道エネルギー＝速度2＝8.054×1025JKm÷(5×105×9.46×1012Km)＝1.703×107J
速度＝(1.703×107)1/2＝4.127×103Km
・10―16m時代、5×107光年の軌道半径には、直径2×106光年の泡宇宙が存在した。
軌道エネルギー＝速度2＝8.054×1025JKm÷(10６×9.46×1012Km)＝8.514×106J
速度＝(8.514×106)1/2＝2.918×103Km
・10―15m時代、1.25×108光年の軌道半径には、直径5×106光年の泡宇宙が存在した。
軌道エネルギー＝速度2＝8.054×1025JKm÷(2.5×10６×9.46×1012Km)＝3.405×106J
速度＝(3.405×106)1/2＝1.845×103Km
・10―15m時代、2.5×108光年の軌道半径には、直径107光年の泡宇宙が存在した。
軌道エネルギー＝速度2＝8.054×1025JKm÷(5×106×9.46×1012Km)＝1.703×106J
速度＝(1.703×106)1/2＝1.305×103Km
・10―15m時代、5×108光年の軌道半径には、直径2×107光年の泡宇宙が存在した。
軌道エネルギー＝速度2＝8.054×1025JKm÷(107×9.46×1012Km)＝8.514×105J
速度＝(8.514×105)1/2＝9.227×102Km
・10―14m時代、1.25×109光年の軌道半径には、直径5×107光年の泡宇宙が存在した。
軌道エネルギー＝速度2＝8.054×1025JKm÷(2.5×107×9.46×1012Km)＝3.405×105J
速度＝(3.405×105)1/2＝5.835×102Km
・10―14m時代、2.5×109光年の軌道半径には、直径108光年の泡宇宙が存在した。
軌道エネルギー＝速度2＝8.054×1025JKm÷(5×107×9.46×1012Km)＝1.703×105J
速度＝(1.703×105)1/2＝4.127×102Km
・10―14m時代、5×109光年の軌道半径には、直径2×108光年の泡宇宙が存在した。
軌道エネルギー＝速度2＝8.054×1025JKm÷(108×9.46×1012Km)＝8.514×104J
速度＝(8.514×104)1/2＝2.918×102Km
この事をまとめて表に示す。
表4
宇宙の軌道半径における、中心が6.194×1010太陽質量の泡宇宙の直径と速度
2014207797.tif 000006
５．    実際、泡宇宙の大きさは異なる。それで、直径108光年の泡宇宙、直径7.5×107光年の泡宇宙、直径5×107光年の泡宇宙について回転速度を求める。
・宇宙の軌道半径に存在するそれぞれの泡宇宙の直径を表に示す。
中心のブラックホールの質量については、特願2013−023929の「請求項8」に記した。
表5
宇宙の軌道半径に存在するそれぞれの泡宇宙の直径
2014207797.tif 000007
a. 中心のブラックホールが2.186×1010太陽質量の泡宇宙の速度を求める。
・軌道エネルギーを求める。
中心のブラックホールは、2.186×1010太陽質量＝1010.3397太陽質量、です。
速度2＝軌道エネルギー＝5.438×1018＋2ｎ÷3JKm÷距離＝5.438×1018＋2×10.3397÷3 JKm÷距離＝5.438×1018＋6.8931 JKm÷距離＝5.438×1024×7.818＝4.251×1025JKm÷距離
軌道エネルギー＝4.251×1025JKm÷距離
・10−16m時代、1.25×107光年の軌道半径には、直径2.5×105光年の泡宇宙が存在した。
4.251×1025JKm÷(1.25×105×9.46×1012Km)＝3.595×107J
速度＝(3.595×107)1/2=5.996
×103Km
・10−16m時代、2.5×107光年の軌道半径には、直径5×105光年の泡宇宙が存在した。
4.251×1025JKm÷(2.5×105×9.46×1012Km)＝1.797×107J
速度＝(1.797×107)1/2=4.239×103Km
・10−16m時代、5×107光年の軌道半径には、直径106光年の泡宇宙が存在した。
4.251×1025JKm÷(5×105×9.46×1012Km)＝8.987×106J
速度＝(8.987×106)1/2=2.998
×103Km
・10−15m時代、1.25×108光年の軌道半径には、直径2.5×106光年の泡宇宙が存在した。
4.251×1025JKm÷(1.25×106×9.46×1012Km)＝3.595×106J
速度＝(3.595×106)1/2=1.896×103Km
・10−15m時代、2.5×108光年の軌道半径には、直径5×106光年の泡宇宙が存在した。
4.251×1025JKm÷(2.5×106×9.46×1012Km)＝1.797×106
速度＝(1.797×106)1/2=1.341×103Km
・10−15m時代、5×108光年の軌道半径には、直径107光年の泡宇宙が存在した。
4.251×1025JKm÷(5×106×9.46×1012Km)＝8.988×105
速度＝(8.988×105)1/2=9.481×102Km
・10−14m時代、1.25×109光年の軌道半径には、直径2.5×107光年の泡宇宙が存在した。
4.251×1025JKm÷(1.25×107×9.46×1012Km)＝3.595×105
速度＝(3.595×105)1/2=5.996×102Km 
・10−14m時代、2.5×109光年の軌道半径には、直径5×107光年の泡宇宙が存在した。
4.251×1025JKm÷(2.5×107×9.46×1012Km)＝1.797×105
速度＝(1.797×105)1/2=4.239×102Km
・10−14m時代、5×109光年の軌道半径には、直径108光年の泡宇宙が存在した。
4.251×1025JKm÷(5×107×9.46×1012Km)＝8.987×104
速度＝(8.987×104)1/2=2.998×102Km
b.  中心のブラックホールが1.422×1010太陽質量の泡宇宙の速度を求める。
・軌道エネルギーを求める。
中心のブラックホールは、1.422×1010太陽質量＝1010.1529太陽質量
速度2＝軌道エネルギー＝5.438×1018＋2ｎ÷3JKm÷距離＝5.438×1018＋2×10.1529÷3 JKm÷距離＝5.438×1018＋6.7686 JKm÷距離＝5.438×1024×5.870 JKm÷距離＝3.192×1025JKm÷距離
軌道エネルギー＝3.192×1025JKm÷距離
・10−16m時代、1.25×107光年の軌道半径には、直径1.875×105光年の泡宇宙が存在した。
3.192×1025JKm÷(9.375×104×9.46×1012Km)＝3.599×107J
速度＝(3.599×107)1/2=5.999×103Km
・10−16m時代、2.5×107光年の軌道半径には、直径3.75×105光年の泡宇宙が存在した。
3.192×1025JKm÷(1.875×105×9.46×1012Km)＝1.800×107J
速度＝(1.800×107)1/2=4.243×103Km
・10−16m時代、5×107光年の軌道半径には、直径7.5×105光年の泡宇宙が存在した。
3.192×1025JKm÷(3.75×105×9.46×1012Km)＝8.998×106J
速度＝(8.998×106)1/2=3.000×103Km
・10−15m時代、1.25×108光年の軌道半径には、直径1.875×106光年の泡宇宙が存在した。
3.192×1025JKm÷(9.375×105×9.46×1012Km)＝3.599×106J
速度＝(3.599×106)1/2=1.897×103Km
・10−15m時代、2.5×108光年の軌道半径には、直径3.75×106光年の泡宇宙が存在した。
3.192×1025JKm÷(1.875×106×9.46×1012Km)＝1.800×106J
速度＝(1.800×106)1/2=1.342×103Km
・10−15m時代、5×108光年の軌道半径には、直径7.5×106光年の泡宇宙が存在した。
3.192×1025JKm÷(3.75×106×9.46×1012Km)＝8.998×105J
速度＝(8.998×105)1/2=9.486×102Km
・10−14m時代、1.25×109光年の軌道半径には、直径1.875×107光年の泡宇宙が存在した。
3.192×1025JKm÷(9.375×106×9.46×1012Km)＝3.599×105J
速度＝(3.599×105)1/2=5.999×102Km
・10−14m時代、2.5×109光年の軌道半径には、直径3.75×107光年の泡宇宙が存在した。
3.192×1025JKm÷(1.875×107×9.46×1012Km)＝1.800×105J
速度＝(1.800×105)1/2=4.243×102Km
・10−14m時代、5×109光年の軌道半径には、直径7.5×107光年の泡宇宙が存在した。
3.192×1025JKm÷(3.75×107×9.46×1012Km)＝8.998×104J
速度＝(8.998×104)1/2=3.000×102Km
c.   中心のブラックホールが9.490×109太陽質量の泡宇宙の速度を求める。
・軌道エネルギーを求める。
中心のブラックホールは、9.490×109太陽質量＝109.9773太陽質量
速度2＝軌道エネルギー＝5.438×1018＋2ｎ÷3JKm÷距離＝5.438×1018＋2×9.9773÷3JKm÷距離＝5.438×1018＋6.6515 JKm÷距離＝5.438×1024.6515 JKm÷距離＝5.438×1024×4.482 JKm÷距離＝2.437×1025JKm÷距離
軌道エネルギー＝2.437×1025JKm÷距離
・10−16m時代、1.25×107光年の軌道半径には、直径1.25×105光年の泡宇宙が存在した。
2.437×1025JKm÷(6.25×104×9.46×1012Km)＝4.122 ×107J
速度＝(4.122×107)1/2=6.420×103Km
・10−16m時代、2.5×107光年の軌道半径には、直径2.5×105光年の泡宇宙が存在した。
2.437×1025JKm÷(1.25×105×9.46×1012Km)＝2.061×107J
速度＝(2.061×107)1/2=4.540
×103Km
・10−16m時代、5×107光年の軌道半径には、直径5×105光年の泡宇宙が存在した。
2.437×1025JKm÷(2.5×105×9.46×1012Km)＝1.030×107J
速度＝(1.030×107)1/2=3.209×103Km
・10−15m時代、1.25×108光年の軌道半径には、直径1.25×106光年の泡宇宙が存在した。
2.437×1025JKm÷(6.25×105×9.46×1012Km)＝4.122×106J
速度＝(4.122×106)1/2=2.030×103Km
・10−15m時代、2.5×108光年の軌道半径には、直径2.5×106光年の泡宇宙が存在した。
2.437×1025JKm÷(1.25×106×9.46×1012Km)＝2.061×106J
速度＝(2.061×106)1/2=1.436×103Km
・10−15m時代、5×108光年の軌道半径には、直径5×106光年の泡宇宙が存在した。
2.437×1025JKm÷(2.5×106×9.46×1012Km)＝1.030×106J
速度＝(1.030×106)1/2=1.015×103Km
・10−14m時代、1.25×109光年の軌道半径には、直径1.25×107光年の泡宇宙が存在した。
2.437×1025JKm÷(6.25×106×9.46×1012Km)＝4.122×105J
速度＝(4.122×105)1/2=6.420×102Km
・10−14m時代、2.5×109光年の軌道半径には、直径2.5×107光年の泡宇宙が存在した。
2.437×1025JKm÷(1.25×107×9.46×1012Km)＝2.061×105J
速度＝(2.061×105)1/2=4.540×102Km
・10−14m時代、5×109光年の軌道半径には、直径5×107光年の泡宇宙が存在した。
2.437×1025JKm÷(2.5×107×9.46×1012Km)＝1.030×105J
速度＝(1.030×105)1/2=3.209×102Km
これらの事をまとめて表に示す。
表6
2014207797.tif 000008
表7
宇宙の軌道半径における、中心のブラックホールが2.186×1010太陽質量の泡宇宙の直径と速度
2014207797.tif 000009
表8
宇宙の軌道半径における、中心のブラックホールが1.422×1010太陽質量の泡宇宙の直径と速度
2014207797.tif 000010
表9
宇宙の軌道半径と中心のブラックホールが9.490×109太陽質量の泡宇宙の直径と速度
2014207797.tif 000011
６．    実際、泡宇宙はどのように回転しているか。
実際、泡宇宙は上記に記したたくさんの大きさの泡宇宙が混じり合って回転している。
泡宇宙は、泡宇宙の軌道を泡宇宙の速度で回転している。それで、泡宇宙に存在する銀河は衝突することは少ない。
泡宇宙は中心のブラックホールが存在する宇宙の軌道半径の速度で宇宙を回転している。
同じ宇宙の軌道半径において、各々の泡宇宙の中心のブラックホールは同じ速度で回転しているので、泡宇宙と泡宇宙は衝突することは少ない。
７．    宇宙の軌道半径は何回転したか。
宇宙の軌道半径の年齢を表に示す。
表10
宇宙の軌道半径の年齢
2014207797.tif 000012
・宇宙の軌道半径が回転した回転数を求める。
回転数＝秒速×回転した時間の秒数÷1回転の距離
・1.25×10７光年の軌道半径の秒速は6.389×103Kmです。これは3.3×107歳の宇宙です。
回転数＝6.389×103Km×3.3×107歳×365×24×60×60秒÷(2π×1.25×10７×9.46×1012Km)＝6.389×103Km×3.3×107歳×3.1536×107秒÷(2π×1.25×10７×9.46×1012Km)＝8.953×10−3回転
・2.5×10７光年の軌道半径の秒速は4.518×103Kmです。これは6.6×107歳の宇宙です。
回転数＝4.518×103Km×6.6×107歳×3.1536×107秒÷(2π×2.5×10７×9.46×1012Km)＝6.311×10−3回転
・5×10７光年の軌道半径の秒速は3.195×103Kmです。これは108歳の宇宙です。
回転数＝3.195×103Km×108歳×3.1536×107秒÷(2π×5×10７×9.46×1012Km)＝3.392×10−3回転
・1.25×108光年の軌道半径の秒速は2.020×103Kmです。これは3.3×108歳の宇宙です。
回転数＝2.020×103Km×3.3×108歳×3.1536×107秒÷(2π×1.25×108×9.46×1012Km)＝2.831×10−3回転
・2.5×108光年の軌道半径の秒速は1.429×103Kmです。これは6.6×108歳の宇宙です。
回転数＝1.429×103Km×6.6×108歳×3.1536×107秒÷(2π×2.5×108×9.46×1012Km)＝2.003×10−3回転
・5×108光年の軌道半径の秒速は1.010×103Kmです。これは109歳の宇宙です。
回転数＝1.010×103Km×109歳×3.1536×107秒÷(2π×5×108×9.46×1012Km)＝1.072×10−3回転
・1.25×109光年の軌道半径の秒速は6.389×102Kmです。これは3.3×109歳の宇宙です。
回転数＝6.389×102Km×3.3×109歳×3.1536×107秒÷(2π×1.25×109×9.46×1012Km)＝8.953×10−4回転
・2.5×109光年の軌道半径の秒速は4.518×102Kmです。これは6.6×109歳の宇宙です。
回転数＝4.518×102Km×6.6×109歳×3.1536×107秒÷(2π×2.5×109×9.46×1012Km)＝6.334×10−4回転
・5×109光年の軌道半径の秒速は3.195×102Kmです。これは1.32×1010歳の宇宙です。
回転数＝3.195×102Km×1.32×1010歳×3.1536×107秒÷(2π×5×109×9.46×1012Km)＝4.477×10−４回転
表に示す．
表11
宇宙の軌道半径が回転した回転数
2014207797.tif 000013
８．    泡宇宙は何回転したか。
中心が6.194×1010太陽質量の泡宇宙の回転数を求める。
・中心が6.194×1010太陽質量の泡宇宙の直径が5×105光年の泡宇宙の速度は8.253×103Kmです。これは3.3×107歳の宇宙です。
回転数＝8.253×103Km×3.3×107歳×3.1536×107秒÷(π×5×105×9.46×1012Km)＝5.783×10−1回転
・中心が6.194×1010太陽質量の泡宇宙の直径が106光年の泡宇宙の速度は4.127×103Kmです。これは6.6×107歳の宇宙です。
回転数＝4.127×103Km×6.6×107歳×3.1536×107秒÷(π×106×9.46×1012Km)＝2.892×10−1回転
・中心が6.194×1010太陽質量の泡宇宙の直径が2×106光年の泡宇宙の速度は2.918×103Kmです。これは108歳の宇宙です。
回転数＝2.918×103Km×108歳×3.1536×107秒÷(π×2×106×9.46×1012Km)＝1.549×10−1回転
・中心が6.194×1010太陽質量の泡宇宙の直径が5×106光年の泡宇宙の速度は1.845×103Kmです。これは3.3×108歳の宇宙です。
回転数＝1.845×103Km×3.3×108歳×3.1536×107秒÷(π×5×106×9.46×1012Km)＝1.293×10−1回転
・中心が6.194×1010太陽質量の泡宇宙の直径が107光年の泡宇宙の速度は1.305×103Kmです。これは6.6×108歳の宇宙です。
回転数＝1.305×103Km×6.6×108歳×3.1536×107秒÷(π×107×9.46×1012Km)＝9.144×10−2回転
・中心が6.194×1010太陽質量の泡宇宙の直径が2×107光年の泡宇宙の速度は9.227×102Kmです。これは109歳の宇宙です。
回転数＝9.227×102Km×109歳×3.1536×107秒÷(π×2×107×9.46×1012Km)＝4.898×10−2回転
・中心が6.194×1010太陽質量の泡宇宙の直径が5×107光年の泡宇宙の速度は5.835×102Kmです。これは3.3×109歳の宇宙です。
回転数＝5.835×102Km×3.3×109歳×3.1536×107秒÷(π×5×107×9.46×1012Km)＝4.089×10−2回転
・中心が6.194×1010太陽質量の泡宇宙の直径が108光年の泡宇宙の速度は4.127×102Kmです。これは6.6×109歳の宇宙です。
回転数＝4.127×102Km×6.6×109歳×3.1536×107秒÷(π×10８×9.46×1012Km)＝2.892×10−2回転
・中心が6.194×1010太陽質量の泡宇宙の直径が2×108光年の泡宇宙の速度は2.918×102Kmです。これは1.32×1010歳の宇宙です。
回転数＝2.918×102Km×1.32×1010歳×3.1536×107秒÷(π×2×108×9.46×1012Km)＝2.045×10−2回転
a. 中心のブラックホールが2.186×1010太陽質量の泡宇宙の回転数を求める。
・中心が2.186×1010太陽質量の泡宇宙の直径が2.5×105光年の泡宇宙の速度は5.996×103Kmです。これは3.3×107歳の宇宙です。
回転数＝5.996×103Km×3.3×107歳×3.1536×107秒÷(π×2.5×105×9.46×1012Km)＝8.403×10−1回転
・中心が2.186×1010太陽質量の泡宇宙の直径が5×105光年の泡宇宙の速度は4.239×103Kmです。これは6.6×107歳の宇宙です。
回転数＝4.239×103Km×6.6×107歳×3.1536×107秒÷(π×5×105×9.46×1012Km)＝5.940×10−1回転
・中心が2.186×1010太陽質量の泡宇宙の直径が106光年の泡宇宙の速度は2.998×103Kmです。これは108歳の宇宙です。
回転数＝2.998×103Km×108歳×3.1536×107秒÷(π×106×9.46×1012Km)＝3.183×10−1回転
・中心が2.186×1010太陽質量の泡宇宙の直径が2.5×106光年の泡宇宙の速度は1.896×103Kmです。これは3.3×108歳の宇宙です。
回転数＝1.896×103Km×3.3×108歳×3.1536×107秒÷(π×2.5×106×9.46×1012)＝2.657×10−1回転
・中心が2.186×1010太陽質量の泡宇宙の直径が5×106光年の泡宇宙の速度は1.341×103Kmです。これは6.6×108歳の宇宙です。
回転数＝1.341×103Km×6.6×108歳×3.1536×107秒÷(π×5×106×9.46×1012Km)＝1.879×10−1回転
・中心が2.186×1010太陽質量の泡宇宙の直径が107光年の泡宇宙の速度は9.481×102Kmです。これは109歳の宇宙です。
回転数＝9.481×102Km×109歳×3.1536×107秒÷(π×107×9.46×1012Km)＝1.007×10−1回転
・中心が2.186×1010太陽質量の泡宇宙の直径が2.5×107光年の泡宇宙の速度は5.996×102Kmです。これは3.3×109歳の宇宙です。
回転数＝5.996×102Km×3.3×109歳×3.1536×107秒÷(π×2.5×107×9.46×1012)＝8.403 ×10−2回転
・中心が2.186×1010太陽質量の泡宇宙の直径が5×107光年の泡宇宙の速度は4.239×102Kmです。これは6.6×109歳の宇宙です。
回転数＝4.239×102Km×6.6×109歳×3.1536×107秒÷(π×5×107×9.46×1012Km)＝5.941×10−2回転
・中心が2.186×1010太陽質量の泡宇宙の直径が108光年の泡宇宙の速度は2.998×102Kmです。これは1.32×1010歳の宇宙です。
回転数＝2.998×102Km×1.32×1010歳×3.1536×107秒÷(π×108×9.46×1012Km)＝4.201×10−2回転
b. 中心のブラックホールが1.422×1010太陽質量の泡宇宙の回転数を求める。
・中心が1.422×1010太陽質量の泡宇宙の直径が1.875×105光年の泡宇宙の速度は5.999×103Kmです。これは3.3×107歳の宇宙です。
回転数＝5.999×103Km×3.3×107歳×3.1536×107秒÷(π×1.875×105×9.46×1012Km)＝1.121回転
・中心が1.422×1010太陽質量の泡宇宙の直径が3.75×105光年の泡宇宙の速度は4.243×103Kmです。これは6.6×107歳の宇宙です。
回転数＝4.243×103Km×6.6×107歳×3.1536×107秒÷(π×3.75×105×9.46×1012Km)＝7.928×10−1回転
・中心が1.422×1010太陽質量の泡宇宙の直径が7.5×105光年の泡宇宙の速度は3.000×103Kmです。これは108歳の宇宙です。
回転数＝3.000×103Km×108歳×3.1536×107秒÷(π×7.5×105×9.46×1012Km)＝4.247×10−1回転
・中心が1.422×1010太陽質量の泡宇宙の直径が1.875×106光年の泡宇宙の速度は1.897×103Kmです。これは3.3×108歳の宇宙です。
回転数＝1.897×103Km×3.3×108歳×3.1536×107秒÷(π×1.875×106×9.46×1012Km)＝3.544×10−1回転
・中心が1.422×1010太陽質量の泡宇宙の直径が3.75×106光年の泡宇宙の速度は1.342×103Kmです。これは6.6×108歳の宇宙です。
回転数＝1.342×103Km×6.6×108歳×3.1536×107秒÷(π×3.75×106×9.46×1012Km)＝2.508×10−1回転
・中心が1.422×1010太陽質量の泡宇宙の直径が7.5×106光年の泡宇宙の速度は9.486×102Kmです。これは109歳の宇宙です。
回転数＝9.486×102Km×109歳×3.1536×107秒÷(π×7.5×106×9.46×1012Km)＝1.343×10−1回転
・中心が1.422×1010太陽質量の泡宇宙の直径が1.875×107光年の泡宇宙の速度は5.999×102Kmです。これは3.3×109歳の宇宙です。
回転数＝5.999×102Km×3.3×109歳×3.1536×107秒÷(π×1.875×107×9.46×1012Km)＝1.121×10−1回転
・中心が1.422×1010太陽質量の泡宇宙の直径が3.75×107光年の泡宇宙の速度は4.243×102Kmです。これは6.6×10９歳の宇宙です。
回転数＝4.243×102Km×6.6×109歳×3.1536×107秒÷(π×3.75×107×9.46×1012Km)＝7.928×10−2回転
・中心が1.422×1010太陽質量の泡宇宙の直径が7.5×107光年の泡宇宙の速度は3.000×102Kmです。これは1.32×1010歳の宇宙です。
回転数＝3.000×102Km×1.32×1010歳×3.1536×107秒÷(π×7.5×107×9.46×1012Km)＝5.606×10−2回転
c. 中心のブラックホールが9.490×109太陽質量の泡宇宙の回転数を求める。
・中心が9.490×109太陽質量の泡宇宙の直径が1.25×105光年の泡宇宙の速度は6.420×103Kmです。これは3.3×107歳の宇宙です。
回転数＝6.420×103Km×3.3×107歳×3.1536×107秒÷(π×1.25×105×9.46×1012Km)＝1.799回転
・中心が9.490×109太陽質量の泡宇宙の直径が2.5×105光年の泡宇宙の速度は4.540×103Kmです。これは6.6×107歳の宇宙です。
回転数＝4.540×103Km×6.6×107歳×3.1536×107秒÷(π×2.5×105×9.46×1012Km)＝1.272回転
・中心が9.490×109太陽質量の泡宇宙の直径が5×105光年の泡宇宙の速度は3.209×103Kmです。これは108歳の宇宙です。
回転数＝3.209×103Km×108歳×3.1536×107秒÷(π×.5×105×9.46×1012Km)＝6.814×10−1回転
・中心が9.490×109太陽質量の泡宇宙の直径が1.25×106光年の泡宇宙の速度は2.030×103Kmです。これは3.3×108歳の宇宙です。
回転数＝2.030×103Km×3.3×108歳×3.1536×107秒÷(π×1.25×106×9.46×1012Km)＝5.690×10−1回転
・中心が9.490×109太陽質量の泡宇宙の直径が2.5×106光年の泡宇宙の速度は1.436×103Kmです。これは6.6×108歳の宇宙です。
回転数＝1.436×103Km×6.6×108歳×3.1536×107秒÷(π×2.5×106×9.46×1012Km)＝4.025×10−1回転
・中心が9.490×109太陽質量の泡宇宙の直径が5×106光年の泡宇宙の速度は1.015×103Kmです。これは109歳の宇宙です。
回転数＝1.015×103Km×109歳×3.1536×107秒÷(π×.5×106×9.46×1012Km)＝2.155×10−1回転
・中心が9.490×109太陽質量の泡宇宙の直径が1.25×107光年の泡宇宙の速度は6.420×102Kmです。これは3.3×109歳の宇宙です。
回転数＝6.420×102Km×3.3×109歳×3.1536×107秒÷(π×1.25×107×9.46×1012Km)＝1.799×10−1回転
・中心が9.490×109太陽質量の泡宇宙の直径が2.5×107光年の泡宇宙の速度は4.540×102Kmです。これは6.6×109歳の宇宙です。
回転数＝4.540×102Km×6.6×109歳×3.1536×107秒÷(π×2.5×107×9.46×1012Km)＝1.272×10−1回転
・中心が9.490×109太陽質量の泡宇宙の直径が5×107光年の泡宇宙の速度は3.209×102Kmです。これは1.32×1010歳の宇宙です。
回転数＝3.209×102Km×1.32×1010歳×3.1536×107秒÷(π×.5×107×9.46×1012Km)＝8.994×10−2回転
この事をまとめて表に示す。
表12
中心が6.194×1010太陽質量の泡宇宙の回転数
2014207797.tif 000014
表13
中心のブラックホールが2.186×1010太陽質量の泡宇宙の回転数
2014207797.tif 000015
表14
中心が1.422×1010太陽質量の泡宇宙の回転数
2014207797.tif 000016
表15
中心のブラックホールが9.490×109太陽質量の泡宇宙の回転数
2014207797.tif 000017
これの事から理解できる事。
1．宇宙の軌道半径の回転数は約10−4回転から10−3回転です。
2．泡宇宙の回転数は約10−2回転から10−1回転です。
3．泡宇宙の回転数は、宇宙の軌道半径の回転数の約100倍です。。
それなのに、泡宇宙の形は円形になっていない。シャボン玉のように球体です。
4．宇宙の軌道半径の回転数は泡宇宙の回転数の1/100です。それで、宇宙の形は扁平になっていない、球形になっている。
5．大き泡宇宙ほど回転数は少ない。
6．小さな泡宇宙ほど回転数は多い。
7．宇宙の場合も、宇宙の軌道半径が大きくなるほど回転数は少ない。
8．宇宙の場合も回転数が少ないので、球形です。
9．宇宙の場合は、10―16m時代は“ブラックホールの素子の時代”であり、超過密空間ですから、これ以前の宇宙の形は球形であり、回転数は考慮する必要はない
この事は、特願2013−028476「宇宙の形2」の「請求項2」に記したので、参考のためここに再度記す。
表16
2014207797.tif 000018
９．    どうして宇宙の形は平らな円形として観察されるか。
宇宙を観察するとき、宇宙の中の1点である地球から観察する。
宇宙の外からは観察できない。それで、宇宙全体の画像を捉えることはできない。
宇宙を観察するとき、宇宙の中の1点である地球から観察するとき、扇形に観察する。これは宇宙の1部を観察しているのであり、全体を観察しているのではない。
例えば、135億光年の遠くを観察しようとする。そこに宇宙の中心のブラックホールがある。
宇宙の中心から、5×103光年までは、光速以上の軌道半径であるから、この先は観測されない。
また、10―16m時代は、宇宙の中心から1.25×107光年〜5×107光年までの軌道半径である。ここは“ブラックホールの素子の時代”であり、密度が高く観察しづらい。この場は、銀河の中心に成るブラックホールができる時代である。泡宇宙はブラックホールの泡宇宙として観察される。1億年時代である。
また、10−15m時代は、宇宙の中心から1.25×108光年〜5×108光年までの軌道半径である。泡宇宙はクエーサーの泡宇宙が観察される。10億年時代である。
このように、宇宙の中心を観察するとき、宇宙の中心から約5×107光年までの軌道半径内は観察できない。
これらの事によって、観察できるのは、それ以降の宇宙です。
観察しているのは、宇宙の中心から約108光年以降の軌道半径です。
それも、地球が存在する方向の、宇宙の中心から約108光年以降の軌道半径です。
この事を宇宙の平面図で説明する。
【産業上の利用可能性】
【０００９】
宇宙の形はどのようになているか。これは誰もが抱く疑問です。疑問を解くことは科学です。科学の発展は産業を発展させます。
【符号の説明】
【００１０】
１    宇宙の中心のブラックホール
２    地球の位置とする。
３    10―16m時代の空間は宇宙の中心から1.25×107光年〜5×107光年までの軌道半径であり、この部分は観察し難いが、エネルギーは大きい。
４    10―15m時代の空間は宇宙の中心から1.25×108光年〜5×108光年までの軌道半径であり、この部分はクエーサーの泡宇宙が観察される。
５    10−14m時代の空間は宇宙の中心から1.25×109光年〜5×109光年までの軌道半径であり、この部分は銀河の泡宇宙が観察される。
６    観察している範囲
７    観察している範囲を合成した形
８    それで、楕円球の形として観察される。
【図１】
2014207797.tif 000035